(57)【要約】【課題】  メモリオーディオ再生装置の処理性能や処理状態に応じて自動で転送データ量を制御し、通信以外の処理への影響を低減すること。【解決手段】  制御部９０は、光ディスク４０の再生制御をしている際は、メモリオーディオ１０に低速でデータ転送するようメモリデバイスコントローラ３０へ指示し、光ディスク４０の再生制御をしていない際は、メモリオーディオ１０に高速でデータ転送するようメモリデバイスコントローラ３０へ指示することを特徴とする。【選択図】図１
2011192332.tif 000002
【特許請求の範囲】
【請求項１】
コネクタを用いて接続されたメモリオーディオへ各種データを送信、および光ディスクに保持された音楽ファイルを再生するメモリオーディオ再生装置において、
前記メモリオーディオへデータを転送するメモリデバイスコントローラと、
前記光ディスクの再生制御、および前記メモリデバイスコントローラへデータ転送の指示をする制御部と、を有し
前記制御部は、
前記光ディスクの再生制御をしている際は、前記メモリオーディオに低速でデータ転送するよう前記メモリデバイスコントローラへ指示し、
前記光ディスクの再生制御をしていない際は、前記メモリオーディオに高速でデータ転送するよう前記メモリデバイスコントローラへ指示する、
メモリオーディオ再生装置。
【請求項２】
前記制御部は、前記メモリオーディオに固有の通信フォーマットで規定された１パケットに格納するデータ量を少なくするよう前記メモリデバイスコントローラへ指示することで、低速でデータ転送することを特徴とする請求項１に記載のメモリオーディオ再生装置。
【請求項３】
前記制御部は、前記光ディスクの再生制御の処理負荷が低下した際に、前記メモリオーディオにデータ転送するよう前記メモリデバイスコントローラへ指示することで、高速でデータ転送することを特徴とする請求項１に記載のメモリオーディオ再生装置。
【請求項４】
前記制御部は、前記メモリオーディオに固有の通信フォーマットで規定された１パケットに格納する最大サイズのデータ量でデータを転送するよう前記メモリデバイスコントローラへ指示することで、高速でデータ転送することを特徴とする請求項１に記載のメモリオーディオ再生装置。
【発明の詳細な説明】
【技術分野】
【０００１】
本発明は、ポータブルプレイヤーを接続可能なメモリオーディオ再生装置に関し、特にポータブルプレイヤーに保持された音楽ファイル等を通信により取得し再生するメモリオーディオ再生装置に関する。
【背景技術】
【０００２】
パソコンで作成した圧縮音楽ファイルやインターネットからダウンロードした圧縮音楽ファイルを再生可能なポータブルプレイヤーが広く普及し、車載オーディオ機器などのメモリオーディオ再生装置に接続して利用されることも多い。
【０００３】
メモリオーディオ再生装置と接続するポータブルプレイヤーは、独自の通信フォーマットを有し、ポータブルプレイヤーから圧縮音楽ファイルを転送するだけでなく、メモリオーディオ再生装置の固有情報やメモリオーディオ再生装置に保持されている各種データ（タグ情報など）をポータブルプレイヤーに転送する機能も有している。
【０００４】
その他、USBメモリに代表されるメモリデバイスとパソコンや音楽再生装置などのホスト装置との通信を高速で行うデータ転送手段と、低速で行うデータ転送手段を切り替えて使用するデータ装置がある。このデータ装置は、高速のデータ転送手段と低速のデータ転送手段を切り替えるスイッチを備え、ユーザーが使用目的、例えば大容量のデータを転送するときは高速のデータ転送手段に切り替え、例えば音楽データの再生など小容量のデータを転送するときは低速のデータ転送手段に切り替えることが提案されている（例えば、特許文献１参照）。
【先行技術文献】
【特許文献】
【０００５】
【特許文献１】特開２００５−３２７２４７号公報
【発明の概要】
【発明が解決しようとする課題】
【０００６】
しかしながら、従来の技術の通信速度の切り替えは、使用目的に応じてユーザーが手動で接続コネクタを差し替えるなどの操作をしなければならない。そのため、メモリオーディオ再生装置を含むホスト装置とメモリデバイス間の通信処理の負荷が、ホスト装置で実行する他の処理の実行を妨げてしまうことがある。
【０００７】
本発明は、従来の課題を解決するためになされたもので、メモリオーディオ再生装置の処理性能や処理状態に応じて自動でデータ転送量を制御するので、通信以外の処理への影響を低減することのできるメモリオーディオ再生装置を提供することを目的とする。
【課題を解決するための手段】
【０００８】
上記課題を解決するために、本発明は、コネクタを用いて接続されたメモリオーディオへ各種データを送信および光ディスクに保持された音楽ファイルを再生するメモリオーディオ再生装置において、メモリオーディオへデータ転送するメモリデバイスコントローラと、光ディスクの再生制御、およびメモリデバイスコントローラへデータ転送の指示をする制御部とを有し、制御部は、光ディスクの再生制御をしている際は、メモリオーディオに低速でデータ転送するようメモリデバイスコントローラへ指示し、光ディスクの再生制御をしていない際は、メモリオーディオに高速でデータ転送するようメモリデバイスコントローラへ指示することを特徴とする。
【発明の効果】
【０００９】
本発明によれば、自動で転送データ量などを制御し通信に係る処理負荷を減らすので、例えば、通信以外の処理であるCD（compact disc）再生制御における音切れなどを低減するメモリオーディオ再生装置を提供することが可能となる。
【図面の簡単な説明】
【００１０】
【図１】本発明の実施の形態におけるメモリオーディオ再生装置５００の構成を示すブロック図
【図２】本発明の実施の形態におけるメモリオーディオ１０にデータ転送量を制御する手順を説明するためのフロー図
【図３】本発明の実施の形態における高速転送の処理状態を示す図
【図４】本発明の実施の形態におけるメモリオーディオに固有の通信フォーマット（高速転送）を示す図
【図５】本発明の実施の形態における低速転送の処理状態を示す図
【図６】本発明の実施の形態におけるメモリオーディオに固有の通信フォーマット（低速転送）を示す図
【発明を実施するための形態】
【００１１】
以下、本発明の実施の形態に係るメモリオーディオ再生装置５００の構成を示すブロック図である図１を用いて説明する。
【００１２】
メモリオーディオ再生装置５００は、音楽データの再生機能を有するポータブルプレイヤーなどのメモリオーディオ１０を接続するためのコネクタ２０を備える。また、コネクタ２０に接続されたメモリオーディオ１０との通信制御を行うメモリデバイスコントローラ３０と、CDなどの光ディスク４０からデータを読み取るピックアップ５０と、ピックアップ５０を制御するためのサーボDSP６０を有する。さらに、メモリオーディオ１０および光ディスク４０に保持されたオーディオファイルをオーディオ信号に変換するオーディオデコーダ７０と、各種データを一時的に保持するRAM８０とを備える。
【００１３】
制御部９０は、ROM１００に格納されたプログラムを実行し、メモリデバイスコントローラ３０とサーボDSP６０とオーディオデコーダ７０を含むメモリオーディオ再生装置５００全体を制御する。
【００１４】
次に、各構成について詳しく説明する。
【００１５】
メモリオーディオ１０は、ポータブルオーディオプレーヤなどであり、多くは固有の通信フォーマットにより他の機器と通信を行う。メモリオーディオ１０がコネクタ２０に接続されると、メモリデバイスコントローラ３０は接続を検知し、制御部９０に通知する。また、メモリデバイスコントローラ３０は制御部９０からの指令によりメモリオーディオ１０固有の通信フォーマットで規定されたコマンドを用いた転送制御を行いデータの読み出し、書き込みを行う。
【００１６】
コネクタ２０は、メモリオーディオ１０とメモリデバイスコントローラ３０を物理的に接続するものであり、メモリオーディオ１０の種類に応じた規格、例えばUSB規格やSD規格などにより形状が決められている。
【００１７】
メモリデバイスコントローラ３０は、メモリオーディオ１０との通信を制御し、データの読み出しや書き込みを行う。例えば、制御部９０より再生ファイルの指定を受け、メモリオーディオ１０に保持されている圧縮オーディオファイルなどを読み出し、オーディオ
デコーダ７０に転送する。
【００１８】
光ディスク４０は、例えばDVDやCDなどであり、その内周から外周に向けて螺旋状に記録領域を持つ。
【００１９】
ピックアップ５０は、光ディスク４０に保持されたデジタルデータを取得し、サーボDSP６０へ送る。
【００２０】
サーボDSP６０は、ピックアップ５０のサーボ制御信号の生成を行うと同時に、ピックアップ５０で読み取った光ディスク４０のデジタルデータを復調する。
【００２１】
オーディオデコーダ７０は、メモリデバイスコントローラ３０またはサーボDSP６０で読み取ったファイルデータをオーディオ信号に変換し、図示しないアンプを介して図示しないスピーカーに出力する。
【００２２】
RAM８０は、メモリオーディオ１０または光ディスク４０から読み取った、ファイル情報、フォルダ情報、再生情報などのデータを一時保存すると共に、制御部９０のワーキング用のメモリでもある。
【００２３】
制御部９０は、ROM１００に格納されているプログラムを実行して、ユーザー操作を基にメモリデバイスコントローラ３０、サーボDSP６０、オーディオデコーダ７０、RAM８０を制御するための信号を生成し、メモリオーディオ１０と光ディスク４０の再生の切替、再生開始、停止、ポーズ、サーチ、曲選択、曲番号取得、再生経過時間の取得等を行う。
【００２４】
また、ラジオなどの外部機器から取得した情報や、画像データをメモリオーディオ１０に転送するために、メモリデバイスコントローラ３０に対する制御信号を生成する。なお、外部機器から取得した情報には、アーティスト名やアルバム名などのTAG情報や、メモリオーディオ１０の画面に表示させる画像データが代表的なものである。以降、メモリオーディオ１０に転送する情報をタギング情報と呼ぶ。
【００２５】
ROM１００は、制御部９０で実行するプログラムを格納している。
【００２６】
次に、制御部９０は、メモリオーディオ１０にタギング情報を転送する際に、制御部９０の処理状態により、転送速度を変える動作について説明する。具体的には、光ディスク４０の再生制御を行っている場合と行っていない場合を例に、メモリオーディオ１０にタギング情報を転送する速度を変える手順について図２を用いて説明する。
【００２７】
図２は、制御部９０の処理状態によって、制御部９０がメモリオーディオ１０へのデータ転送速度を切り替える処理を示すフロー図である。
【００２８】
制御部９０は、メモリオーディオ１０へのデータ転送処理が発生した時（ステップＳ１０１）、ステップＳ１０２へ進む。
【００２９】
ステップＳ１０２では、制御部９０が光ディスク４０を再生制御している際は、ステップＳ１０４の低速転送をメモリデバイスコントローラ３０に指示し、ステップＳ１０５へ進む。制御部９０が光ディスク４０を再生制御していない際は、ステップＳ１０３の高速転送をメモリデバイスコントローラ３０に指示し、ステップＳ１０５へ進む。
【００３０】
ステップＳ１０５では、制御部９０は、データ転送が完了するまで、ステップＳ１０２へ戻り、メモリオーディオ１０へのデータ転送中も光ディスク４０の再生制御中か否かに
応じて転送速度を切り替える。制御部９０は、データ転送を完了したら終了する。
【００３１】
次に、メモリオーディオ１０へのデータ転送処理について図３を用いて説明する。
【００３２】
図３は、図２のステップＳ１０３の処理の詳細を示している。制御部９０が光ディスク再生制御を行っていないときのメモリオーディオ１０への転送状態を示している。なお、制御部９０が処理中である範囲を斜線で示している。
【００３３】
制御部９０は、光ディスク再生制御を行っていないとき、メモリオーディオ１０に対して、メモリオーディオ１０に固有の通信フォーマットに従いコマンドを生成する。そのとき、図４に示すように、１パケットに格納するデータ量を、通信フォーマットで規定された最大サイズに設定する。また、図３の右側に示すように、制御部９０は、データを格納したパケットを連続的にメモリオーディオ１０に対して送信するようメモリデバイスコントローラ３０へ指示する。
【００３４】
図５は、図２のステップＳ１０４の処理の詳細を示している。制御部９０が光ディスク再生制御を行っているときのメモリオーディオ１０への転送状態を示している。なお、図３と同様に、制御部９０が処理中である範囲を斜線で示している。
【００３５】
制御部９０は光ディスク再生制御を行っているとき、メモリオーディオ１０に対して、メモリオーディオ１０に固有の通信フォーマットに従いコマンドを生成する。そのとき、図６に示すように、１パケットに格納するデータ量を、通信フォーマットで規定された最大サイズに対し、制御部９０の処理能力超えない範囲のサイズに設定する。また、図５の右側に示すように、制御部９０は、データを格納したパケットをメモリオーディオ１０に対して送信するタイミングが、光ディスク再生制御中の制御部９０の負荷が低い時となるよう、メモリデバイスコントローラ３０を制御する。
【００３６】
以上のように本発明の実施の形態によれば、制御部９０が光ディスク再生制御中のときなど、メモリオーディオ１０へのデータ転送処理以外に、制御部９０が別処理を実行中にメモリオーディオ１０へのデータ転送量やデータ転送のタイミングを変えることで、通信処理以外を確実に実行することが可能となる。つまり、従来の技術のように、使用目的に応じてユーザーが手動で操作する必要がない。従って、パソコンや音楽再生装置といったホスト側となる装置の処理性能や処理状態に応じて自動で通信速度を変えるなどして通信処理の負荷を減らし、通信処理以外の処理を確実に実行できる。特に、小型化や簡易な構造が求められるCDプレーヤにおいて、本実施の形態の構成は非常に有効である。
【産業上の利用可能性】
【００３７】
以上のように、本発明にかかるメモリオーディオ再生装置は、ポータブル型オーディオプレイヤーに代表されるメモリオーディオに格納されている音楽ファイル等を再生する、メモリオーディオ再生装置として有用である。
【符号の説明】
【００３８】
１０  メモリオーディオ
２０  コネクタ
３０  メモリデバイスコントローラ
４０  光ディスク
５０  ピックアップ
６０  サーボDSP
７０  オーディオデコーダ
８０  RAM
９０  制御部
１００  ROM
５００  メモリオーディオ再生装置
【図１】
2011192332.tif 000003
【図２】
2011192332.tif 000004
【図３】
2011192332.tif 000005
【図４】
2011192332.tif 000006
【図５】
2011192332.tif 000007
【図６】
2011192332.tif 000008